(57)【要約】【課題】  本発明は、透過部材の歪みに起因するレーザ光の照射位置変動を抑制し、高精度な画像を得ることが出来る画像形成装置を提供する。【解決手段】  光学箱は、偏向装置110と結像レンズ103とミラー105のうちの少なくとも１つを調整可能な上下開口部107ａ〜107ｃと、光学箱上面に設けられ、偏向装置110によって偏向走査されたレーザ光Ｌを感光ドラム１に向かって出射する出射口109と、を有し、光学箱には、上下開口部107ａ〜107ｃを塞ぐ蓋部材９，11と、出射口109から出射されるレーザ光Ｌを透過する防塵ガラス５とが固定されていることを特徴とする。【選択図】      図２
2013164536.tif 000002
【特許請求の範囲】
【請求項１】
レーザ光を偏向走査するための偏向走査手段と、
前記偏向走査手段により偏向走査されるレーザ光を像担持体に結像させるための結像レンズと、
前記偏向走査手段により偏向走査されるレーザ光を反射するミラーと、
前記偏向走査手段と前記結像レンズと前記ミラーとを内側に収容する光学箱と、を備え、前記像担持体の下方に配置される光学走査装置において、
前記光学箱は、
前記偏向走査手段と前記結像レンズと前記ミラーのうちの少なくとも１つを調整可能な開口部と、
光学箱上面に設けられ、前記偏向走査手段によって偏向走査されたレーザ光を前記像担持体に向かって出射する出射口と、
を有し、
前記光学箱には、前記開口部を塞ぐ蓋部材と、前記出射口から出射されるレーザ光を透過する透過部材とが固定されていることを特徴とする光学走査装置。
【請求項２】
前記蓋部材は、前記光学箱の下面を覆うことで前記開口部を塞ぐことを特徴とする請求項１に記載の光学走査装置。
【請求項３】
前記光学箱は、上面の前記偏向走査手段と対向する位置に第２の開口部を有し、
前記第２の開口部を塞ぐ第２の蓋部材を有することを特徴とする請求項１または請求項２に記載の光学走査装置。
【請求項４】
前記像担持体と、前記像担持体の下方に配置された請求項１〜３のいずれか１項に記載の光学走査装置と、を備えることを特徴とする画像形成装置。
【発明の詳細な説明】
【技術分野】
【０００１】
本発明は、シート等の記録媒体上に画像を形成する機能を備えた、例えば、複写機、プリンタ、ファクシミリ等の電子写真方式を用いた画像形成装置に装備される光学走査装置に関するものである。更に詳しくは、光源からのレーザ光を偏向して被照射体上に走査する光学走査装置及びこれを備えた画像形成装置に関するものである。
【背景技術】
【０００２】
従来、トナー像が形成される像担持体の下方に光学走査装置が配置された画像形成装置がある。その場合では、光学走査装置のレーザ光を像担持体へ向けて出射する為の出射口から現像トナーや塵埃が光学走査装置の筐体内部に侵入し、光学部品に付着してレーザ光の光量を低下させ、画像不良が発生する虞があった。
【０００３】
そこで、光学走査装置のレーザ光の出射口から筐体内部に現像トナーや塵埃が侵入するのを防止することを目的として、出射口をレーザ光が透過する防塵部材で塞いで、光学走査装置を密閉する構成が知られている（特許文献１参照）。
【０００４】
この光学走査装置は、底面と、その周りを囲む側面とを備え、偏向装置と、結像レンズと、ミラーとを収容する筐体を備えている。筐体の上面はカバー部材によって覆われて閉鎖される。カバー部材にはレーザ光を通過する出射口が設けられ、その出射口を塞ぐように、防塵ガラスがカバー部材に取り付けられている。
【先行技術文献】
【特許文献】
【０００５】
【特許文献１】特開２００９−２７１４５６号公報（図９）
【発明の概要】
【発明が解決しようとする課題】
【０００６】
ここで、光学走査装置は、像担持体である感光ドラム上でレーザ光が所望の照射位置に照射されるよう結像レンズの位置やミラーの角度などを調整する。
【０００７】
このような、結像レンズの位置調整やミラーの角度調整は、筐体にカバー部材を取り付ける前に行う必要がある。そのため、結像レンズの位置調整もしくはミラーの角度調整が終了した後に、カバー部材を取り付けるものである。
【０００８】
ここで、感光ドラム上におけるレーザ光の照射位置を調整した後にカバー部材の取り付け作業を行う。ところが、カバー部材は、筐体と比べて剛性が低いため、成形時や成形後に外力によって歪みが発生し易く、歪んだ状態のカバー部材に防塵ガラスを固定すると、防塵ガラスがねじれたり撓んだりして歪んだ状態となる場合がある。防塵ガラスがねじれたり撓んだりすると、レーザ光が透過する防塵ガラスの光学走査装置側の面と、感光ドラム側の面との平行度が悪くなる。
【０００９】
このため、照射位置を調整した後にカバー部材を筐体に取り付けると、面の平行度が悪化した防塵ガラスをレーザ光が透過する構成となり、感光ドラム上の調整したレーザ光の照射位置が予期せぬ方向に変動してしまうという問題がある。
【００１０】
また、カバー部材の筐体への取り付け作業時にカバー部材に発生した応力によってカバー部材に歪みが生じ、これによっても防塵ガラスの平行度は悪化する。
【００１１】
図９を用いて防塵ガラス316の平行度が悪化した場合に発生するレーザ光Ｌの照射位置変動について説明する。板状の防塵ガラス316において、レーザ光Ｌが透過する光学走査装置側の面Ｒ１と、感光ドラム側の面Ｒ２との平行度が０分の場合を図９の実線で示す。図９の実線で示す位置のレーザ光Ｌ１が光学走査装置から防塵ガラス316を透過して感光ドラムへと出射される。
【００１２】
一方、前述したようにカバー部材の取り付け精度の違いやカバー部材の成形によって発生した歪み等の影響によって、防塵ガラス316の平行度が悪化する。その場合、図９の破線で示す位置のレーザ光Ｌ２が光学走査装置から防塵ガラス316を透過して感光ドラムへと出射される。
【００１３】
つまり、防塵ガラス316の平行度が悪化すると、レーザ光Ｌの防塵ガラス316での屈折角度が変化して感光ドラム上での照射位置ずれを発生させる。
【００１４】
また、防塵ガラス316の長手方向（図９の紙面手前側から奥側方向）において感光ドラムの表面との離間距離に左右差が発生した場合には、レーザ光Ｌの照射位置に左右差が生じて傾きが発生する。更に、防塵ガラス316の平行度の悪化が及ぼす影響は、防塵ガラス316から感光ドラムまでの離間距離が長くなるほど大きくなり、防塵ガラス316付きのカバー部材の取り付けによるレーザ光Ｌの照射位置変動量は大きくなってしまう。
【００１５】
このように、防塵ガラス316の歪みによって、感光ドラム上の調整したレーザ光Ｌの照射位置が変動し、画像上の印字品質を悪化させる虞がある。また、近年の画像形成装置における印刷画質の高精度化に伴なって、感光ドラム上のレーザ光Ｌの照射位置を、より高精度に決める必要がある。
【００１６】
本発明は、上述した課題に鑑みてなされたものであり、透過部材の歪みに起因するレーザ光の照射位置変動を抑制し、高精度な画像を得ることが出来る画像形成装置を提供することを目的とする。
【課題を解決するための手段】
【００１７】
前記目的を達成するための本発明に係る光学走査装置の代表的な構成は、レーザ光を偏向走査するための偏向走査手段と、前記偏向走査手段により偏向走査されるレーザ光を像担持体に結像させるための結像レンズと、前記偏向走査手段により偏向走査されるレーザ光を反射するミラーと、前記偏向走査手段と前記結像レンズと前記ミラーとを内側に収容する光学箱と、を備え、前記像担持体の下方に配置される光学走査装置において、前記光学箱は、前記偏向走査手段と前記結像レンズと前記ミラーのうちの少なくとも１つを調整可能な開口部と、光学箱上面に設けられ、前記偏向走査手段によって偏向走査されたレーザ光を前記像担持体に向かって出射する出射口と、を有し、前記光学箱には、前記開口部を塞ぐ蓋部材と、前記出射口から出射されるレーザ光を透過する透過部材とが固定されていることを特徴とする。
【発明の効果】
【００１８】
本発明によれば、透過部材を、偏向走査手段、結像レンズ、ミラーを支持する光学箱の筐体本体に固定するので、透過部材を蓋部材に固定したものを筐体本体に固定する場合と比べて透過部材の平行度の悪化が抑えられ、レーザ光の照射位置変動を抑制できる。よって、像担持体上のレーザ光の照射位置を高精度に出来る。
【図面の簡単な説明】
【００１９】
【図１】本発明に係る光学走査装置を備えた画像形成装置の第１実施形態の構成を示す断面説明図である。
【図２】第１実施形態の光学走査装置の構成を示す断面説明図である。
【図３】第１実施形態の光学走査装置を鉛直上方から見た斜視説明図である。
【図４】第１実施形態の光学走査装置を鉛直下方から見た斜視説明図である。
【図５】本発明に係る光学走査装置を備えた画像形成装置の第２実施形態の構成を示す断面説明図である。
【図６】第２実施形態の光学走査装置の構成を示す断面説明図である。
【図７】第２実施形態の光学走査装置を鉛直上方から見た斜視説明図である。
【図８】第２実施形態の光学走査装置を鉛直下方から見た斜視説明図である。
【図９】透過部材の平行度の悪化によって発生するレーザ光の変化を説明する図である。
【発明を実施するための形態】
【００２０】
図により本発明に係る光学走査装置及びこれを備えた画像形成装置の一実施形態を具体的に説明する。尚、以下の各実施形態に記載した構成部品の寸法、材質、その相対配置などは、この発明の範囲をそれらのみに限定する趣旨のものではない。
【実施例１】
【００２１】
先ず、図１〜図４を用いて本発明に係る光学走査装置及びこれを備えた画像形成装置の第１実施形態の構成について説明する。
【００２２】
＜画像形成装置＞
図１は、本発明の実施形態に係るカラー画像形成装置の構成を示す概略図である。
【００２３】
図１において、画像形成装置10は、シアン、マゼンタ、イエロー、ブラックに対応した複数（本実施形態では四つ）の像担持体としての感光ドラム１Ｃ，１Ｍ，１Ｙ，１BKと、一つの光学走査装置51とを有して構成される。
【００２４】
以下、記述の煩雑化を防ぐために、シアン，マゼンタ，イエロー，ブラックの四つの感光ドラム１Ｃ，１Ｍ，１Ｙ，１BKを感光ドラム１で代表させて説明する。また、関連する各プロセス手段、光学走査装置51内に設けられる種々の光学部材等についても同様に代表的な符号を用いて適宜説明する。
【００２５】
光学走査装置51は、各感光ドラム１の鉛直下方に配置される。そして、画像情報に基づいて各々光変調された光束からなるレーザ光ＬＣ，ＬＭ，ＬＹ，ＬBKを偏向走査するための偏向走査手段となる回転多面鏡102を備えた偏向装置110によって二方向の走査系に偏向走査する。これにより、単一の光学走査装置51で各感光ドラム１の表面上にレーザ光Ｌを照射して静電潜像を形成する。
【００２６】
この静電潜像は、一次帯電器２Ｃ，２Ｍ，２Ｙ，２BKによって各々一様に帯電している感光ドラム１Ｃ，１Ｍ，１Ｙ，１BKの表面上に形成される。これらの静電潜像は、現像装置４Ｃ，４Ｍ，４Ｙ，４BKによって、シアン、マゼンタ、イエロー、ブラックの各色のトナー画像に可視像化される。
【００２７】
記録材３は給送トレイ21上に積載されており、給送ローラ22によって一枚ずつ順に給送され、レジストローラ23によって画像の書き出しタイミングに同期をとって転写ベルト７上に送り出される。記録材３が転写ベルト７上を精度良く搬送されている間に感光ドラム１Ｃ，１Ｍ，１Ｙ，１BKの表面上に形成されたシアン、マゼンタ、イエロー、ブラックの各トナー画像が順に記録材３上に転写されてカラー画像が形成される。
【００２８】
最後に、記録材３は定着装置25によってカラー画像が熱定着された後、排出ローラ26などによって搬送されて装置外に排出される。
【００２９】
＜光学走査装置＞
図２を用いて光学走査装置51について説明する。図２は本実施形態に係る光学走査装置51の構成を示す断面概略図である。本実施形態の光学走査装置51は、一つの筐体107内に二つの走査系100ａ，100ｂを備えている。走査系100ａ，100ｂは、偏向装置110を中心にして対称的にそれぞれ異なった方向に形成され、同様の構造であるため、以下では、一方の走査系100ａの構成についてのみ説明を行い、他方の走査系100ｂについての説明は、適宜省略する。
【００３０】
光学走査装置51は、レーザ光Ｌを偏向走査するための回転多面鏡102を備えた偏向装置110を有する。更に該偏向装置110により偏向走査されるレーザ光Ｌを感光ドラム１の表面に結像させるための結像レンズ103を有する。更に該偏向装置110により偏向走査されるレーザ光Ｌを反射するミラー105を有する。そして、偏向装置110、結像レンズ103及びミラー105とを内側に収容する光学箱の筐体107を有する。
【００３１】
筐体107は、該筐体107の中央部で図２の鉛直上方に開口し、偏向装置110を調整可能な上方開口部107ａを有する。更に、図２の鉛直下方に開口し、且つ上方開口部107ａと隣設して両側に配置され、結像レンズ103及びミラー105を調整可能な下方開口部107ｂ，107ｃとを有する。
【００３２】
上方開口部107ａに対向する第一の壁面108ａに偏向装置110が設けられる。下方開口部107ｂ，107ｃに対向する第二の壁面108ｂ，108ｃに結像レンズ103、ミラー105が設けられる。更に、光学箱上面となる第二の壁面108ｂ，108ｃに偏向装置110によって偏向走査されたレーザ光Ｌを感光ドラム１に向かって出射する出射口109、該出射口109から出射されるレーザ光Ｌを透過する透過部材となる防塵ガラス５が設けられている。
【００３３】
図示しないレーザ光源となる半導体レーザから出射されたレーザ光Ｌは偏向装置110に設けられた回転多面鏡102によって偏向走査される。回転多面鏡102は駆動手段となるモータ106によって回転している。
【００３４】
回転多面鏡102によって偏向されたレーザ光ＬＣは、一枚目の結像レンズ103ａを透過し、二枚目の結像レンズ103ｂを透過し、最終のミラー105ａによって方向を変える。そして、出射口109Ｃに設けられた防塵ガラス５Ｃを通過して感光ドラム１Ｃの表面上に結像する。
【００３５】
回転多面鏡102によって偏向されたレーザ光ＬＭは、一枚目の結像レンズ103ａを透過し、ミラー105ｂによって方向を変えられて、二枚目の結像レンズ103ｃを透過し、最終のミラー105ｃによって方向を変える。そして、出射口109Ｍに設けられた防塵ガラス５Ｍを通過して感光ドラム１Ｍの表面上に結像する。
【００３６】
回転多面鏡102によって偏向されたレーザ光ＬBKは、一枚目の結像レンズ103ｄを透過し、二枚目の結像レンズ103ｅを透過し、最終のミラー105ｄによって方向を変える。そして、出射口109BKに設けられた防塵ガラス５BKを通過して感光ドラム１BKの表面上に結像する。
【００３７】
回転多面鏡102によって偏向されたレーザ光ＬＹは、一枚目の結像レンズ103ｄを透過し、ミラー105ｅによって方向を変えられて、二枚目の結像レンズ103ｆを透過し、最終のミラー105ｆによって方向を変える。そして、出射口109Ｙに設けられた防塵ガラス５Ｙを通過して感光ドラム１Ｙの表面上に結像する。
【００３８】
次に、偏向装置110、結像レンズ103及びミラー105等の光学部材を収めた筐体107の構成について説明する。筐体107は、図２の鉛直上方に開口した上方開口部107ａと、図２の鉛直下方に開口した下方開口部107ｂ，107ｃとを備えている。本実施形態の筐体107は、中央部に設けられた上方開口部107ａと、その両側に設けられた下方開口部107ｂ，107ｃとを図２の鉛直上下方向に直交する水平方向に隣り合った位置に配置し、断面略Ｍ字形状で構成される。
【００３９】
そして、上方開口部107ａに対向して設けた第一の壁面108ａに偏向装置110を取り付ける。一方、下方開口部107ｂに対向して設けた第二の壁面108ｂには、固定部材６を介して結像レンズ103ａ，103ｂ，103ｃと、ミラー105ａ，105ｂ，105ｃを取り付ける。また、下方開口部107ｃに対向して設けた第二の壁面108ｃには、固定部材８を介して結像レンズ103ｄ，103ｅ、103ｆと、ミラー105ｄ，105ｅ，105ｆを取り付ける。
【００４０】
また、第二の壁面108ｂ，108ｃにレーザ光ＬＣ，ＬＭ，ＬＹ，ＬBKの出射口109Ｃ，109Ｍ，109Ｙ，109BKを設ける。そして、該出射口109をレーザ光ＬＣ，ＬＭ，ＬＹ，ＬBKを透過する防塵ガラス５Ｃ，５Ｍ，５Ｙ，５BKで塞いでいる。
【００４１】
光学走査装置51は、レーザ光Ｌの感光ドラム１の表面上における照射位置を調整するために、結像レンズ103の位置調整を行う。結像レンズ103の位置調整が終了した後に、上方開口部107ａ及び下方開口部107ｂ，107ｃを図１に示す蓋部材９，11によって塞ぐ。図１に示すように、蓋部材11は光学箱の下面を覆うことで下方開口部107ｂ，107ｃを塞ぐ。光学箱は上面の偏向装置110と対向する位置に上方開口部107ａ（第２の開口部）を有し、図１に示すように、蓋部材９（第２の蓋部材）によって上方開口部107ａを塞ぐ。
【００４２】
次に、図３及び図４を用いて光学走査装置51について説明する。図３は、光学走査装置51を感光ドラム１側から鉛直下方に向かって見た斜視図であり、図４は、光学走査装置51を給送トレイ21側から鉛直上方に向かって見た斜視図である。
【００４３】
筐体107は、図３に示すように、鉛直上方に開口した上方開口部107ａと、図４に示すように、鉛直下方に開口した下方開口部107ｂ，107ｃとを備えている。上方開口部107ａと、下方開口部107ｂ，107ｃとは、図２に示す鉛直方向に直交する方向（水平方向）に隣り合った位置に配置される。
【００４４】
図３に示すように、上方開口部107ａに対向して設けた第一の壁面108ａに回転多面鏡102を備えた偏向装置110を取り付ける。また、図４に示すように、下方開口部107ｂに対向して設けた第二の壁面108ｂに固定部材６を介して結像レンズ103ａ，103ｂ，103ｃと、ミラー105ａ，105ｂ，105ｃを取り付ける。また、下方開口部107ｃに対向して設けた第二の壁面108ｃに固定部材８を介して結像レンズ103ｄ，103ｅ，103ｆと、ミラー105ｄ，105ｅ，105ｆを取り付ける。
【００４５】
また、図３に示すように、第二の壁面108ｂ，108ｃに各レーザ光Ｌの出射口109Ｃ，109Ｍ，109Ｙ，109BKを設け、該出射口109に各レーザ光Ｌを透過する防塵ガラス５Ｃ，５Ｍ，５Ｙ，５BKを組み付ける。
【００４６】
上記構成によれば、透過部材となる防塵ガラス５、偏向装置110、結像レンズ103、ミラー105等の種々の光学部材を筐体107の本体側に取り付ける。その後に、下方開口部107ｂ，107ｃから結像レンズ103の位置調整やミラー105の角度調整を行うことができる。また必要に応じて上方開口部107ａから偏向装置110の位置調整等を行っても良い。
【００４７】
蓋部材９，11の筐体107への取り付けは、このような各光学部材の調整後に行えば良い。尚、本実施形態では、蓋部材９，11を筐体107に取り付けていない状態では、偏向装置110、結像レンズ103、ミラー105の調整が可能であるが、そのうちの少なくとも1つが調整可能であれば良い。
【００４８】
このように本実施形態では、感光ドラム１の下方に光学走査装置51を配置する構成において、防塵ガラス５を蓋部材９，11では無く筐体107に固定する構成とした。従って、特許文献１のように、防塵ガラスをカバー部材に固定し、そのカバー部材の取り付け作業を行うことがない。このため、防塵ガラスの平行度の悪化等に起因して発生するレーザ光の照射位置変動を抑制することができる。よって、感光ドラム１の表面上のレーザ光Ｌの照射位置を高精度に出来、高精度な画像を得ることが出来る。
【実施例２】
【００４９】
次に、図５〜図８を用いて本発明に係る光学走査装置を備えた画像形成装置の第２実施形態の構成について説明する。尚、前記第１実施形態と同様に構成したものは同一の符号を付して説明を省略する。図５は本実施形態に係るカラー画像形成装置の構成を示す概略図である。
【００５０】
前記第１実施形態では、一つの光学走査装置51を備えた画像形成装置10について説明したが、本実施形態では、二つの光学走査装置52，53を備えた画像形成装置10について説明する。
【００５１】
図５において、画像形成装置10は、シアン、マゼンタ、イエロー、ブラックに対応した複数（本実施形態では四つ）の像担持体としての感光ドラム１Ｃ，１Ｍ，１Ｙ，１BKと、二つの光学走査装置52，53とを有して構成される。光学走査装置52，53は、図５に示す感光ドラム１Ｃ，１Ｍ，１Ｙ，１BKの鉛直下方に配置される。尚、図５及び図６に示す光学走査装置52，53は、同一の構成であるため、以下では一方の光学走査装置52についてのみ説明を行い、他方の光学走査装置53についての説明は適宜省略する。
【００５２】
また、光学走査装置52，53を除く画像形成装置10の構成及び画像形成プロセスについては、前記第１実施形態において図１を用いて前述した内容と同様であるため説明を省略する。
【００５３】
光学走査装置52，53のそれぞれの筐体207内には、それぞれレーザ光Ｌを偏向走査するための回転多面鏡102を備えた偏向装置110が設けられる。また、偏向装置110により偏向走査されるレーザ光Ｌを感光ドラム１の表面に結像させるための結像レンズ203が設けられる。更に、偏向装置110により偏向走査されるレーザ光Ｌを反射するミラー205が設けられる。これら偏向装置110、結像レンズ203及びミラー205が光学走査装置52，53のそれぞれの筐体207内に収容される。
【００５４】
光学走査装置52，53のそれぞれの筐体207は、図６の鉛直上方に開口した上方開口部207ａと、図６の鉛直下方に開口し、且つ該上方開口部207ａと隣設して配置された下方開口部207ｂとを有して構成される。上方開口部207ａと下方開口部207ｂとは図６の鉛直上下方向に直交する方向（水平方向）に隣り合った位置にあり、それぞれの筐体207は断面略Ｓ字形状で構成される。
【００５５】
上方開口部207ａに対向して設けた第一の壁面208ａには、レーザ光Ｌを偏向走査するための回転多面鏡102を備えた偏向装置110が取り付けられている。また、下方開口部207ｂに対向して設けた第二の壁面208ｂには、固定部材12を介して結像レンズ203ａ，203ｂ，203ｃと、ミラー205ａ，205ｂ，205ｃが取り付けられている。
【００５６】
また、図６の右側に示す光学走査装置52の第二の壁面208ｂには、レーザ光ＬＣ，ＬＭが感光ドラム１Ｃ，１Ｍに向かって出射される出射口209Ｃ，209Ｍが設けられる。更に、該出射口209Ｃ，209Ｍには、該出射口209Ｃ，209Ｍから出射されるレーザ光ＬＣ，ＬＭを透過する透過部材となる防塵ガラス５Ｃ，５Ｍが設けられている。
【００５７】
また、図６の左側に示す光学走査装置53の第二の壁面208ｂには、レーザ光ＬＹ，ＬBKが感光ドラム１Ｙ，１BKに向かって出射される出射口209Ｙ，209BKが設けられる。更に、該出射口209Ｙ，209BKには、該出射口209Ｙ，209BKから出射されるレーザ光ＬＹ，ＬBKを透過する透過部材となる防塵ガラス５Ｙ，５BKが設けられている。
【００５８】
図示しない半導体レーザから出射されたレーザ光Ｌは回転多面鏡102によって偏向される。回転多面鏡102はモータ106によって回転している。
【００５９】
図６の右側に示すように、回転多面鏡102によって偏向されたレーザ光ＬＣは、一枚目の結像レンズ203ａを透過し、二枚目の結像レンズ203ｂを透過し、最終のミラー205ａよって方向を変える。そして、出射口209Ｃに設けられた防塵ガラス５Ｃを通過して感光ドラム１Ｃの表面上に結像する。
【００６０】
また、回転多面鏡102によって偏向されたレーザ光ＬＭは、一枚目の結像レンズ203ａを透過し、ミラー205ｂによって方向を変えられる。そして、二枚目の結像レンズ203ｃを透過し、最終のミラー205ｃによって方向を変える。そして、出射口209Ｍに設けられた防塵ガラス５Ｍを通過して感光ドラム１Ｍの表面上に結像する。
【００６１】
図６の左側に示すように、回転多面鏡102によって偏向されたレーザ光ＬＹは、一枚目の結像レンズ203ａを透過し、二枚目の結像レンズ203ｂを透過し、最終のミラー205ａよって方向を変える。そして、出射口209Ｙに設けられた防塵ガラス５Ｙを通過して感光ドラム１Ｙの表面上に結像する。
【００６２】
また、回転多面鏡102によって偏向されたレーザ光ＬBKは、一枚目の結像レンズ203ａを透過し、ミラー205ｂによって方向を変えられる。そして、二枚目の結像レンズ203ｃを透過し、最終のミラー205ｃによって方向を変える。そして、出射口209BKに設けられた防塵ガラス５BKを通過して感光ドラム１BKの表面上に結像する。
【００６３】
各光学走査装置52，53のそれぞれの筐体207の上方開口部207ａ及び下方開口部207ｂは、偏向装置110、結像レンズ203、ミラー205の調整が終了した後に、図５に示す蓋部材13，14によってそれぞれ塞ぐ。蓋部材13，14は調整したレーザ光Ｌの照射位置をずらすことがないように十分注意して筐体207の上方開口部207ａ及び下方開口部207ｂに取り付ける。
【００６４】
次に、図７及び図８を用いて光学走査装置52，53について説明する。図７は、光学走査装置52，53を感光ドラム１側から鉛直下方に向かって見た斜視図であり、図８は、光学走査装置52，53を給送トレイ21側から鉛直上方に向かって見た斜視図である。
【００６５】
筐体207は、図５及び図６の鉛直上方に開口した上方開口部207ａと、図５及び図６の鉛直下方に開口した下方開口部207ｂとを備えている。そして、上方開口部207ａと、下方開口部207ｂとを図５及び図６の鉛直上下方向に直交する方向（水平方向）に隣り合った位置に配置する。
【００６６】
図７に示すように、上方開口部207ａに対向して設けた第一の壁面208ａに偏向装置110を取り付ける。また、図８に示すように、下方開口部207ｂに対向して設けた第二の壁面208ｂに固定部材12を介して結像レンズ203ａ，203ｂ，203ｃと、ミラー205ａ，205ｂ，205ｃを取り付ける。また、図７に示すように、第二の壁面208ｂに各レーザ光Ｌの出射口209Ｃ，209Ｙ，209Ｍ，209BKを設け、該出射口209に各レーザ光Ｌを透過する防塵ガラス５Ｃ，５Ｙ，５Ｍ，５BKを組み付ける。他の構成は、前記第１実施形態と同様に構成され、同様の効果を得ることが出来る。
【００６７】
尚、前記各実施形態において、第二の壁面108ｂ，108ｃ，208ｂに取り付けられる結像レンズ103，203、ミラー105，205等の各光学部材は、固定部材６，８，12を介して各光学部材の姿勢に合わせて最適化された角度に設定される。
【００６８】
従って、これらの各光学部材が第二の壁面108ｂ，108ｃ，208ｂに直接設けられる場合や第二の壁面108ｂ，108ｃ，208ｂに平行に設けられる場合に限定されるものではない。
【００６９】
また、前記各実施形態では、第一の壁面108ａ，208ａに偏向装置110を取り付けた場合の構成について説明した。他に、第一の壁面108ａ，208ａに種々の固定部材を介して偏向装置110と結像レンズ103，203とを所定の姿勢に合わせて最適化された角度に設定して取り付けても良い。従って、第一の壁面108ａ，208ａに偏向装置110のみを取り付けた構成に限定されるものではない。
【００７０】
更に、第二の壁面108ｂ，108ｃ，208ｂに結像レンズ103，203と、ミラー105，205とを取り付けた場合の構成について説明した。他に、第二の壁面108ｂ，108ｃ，208ｂにミラー105，205のみを取り付けても良く、これらに限定されるものではない。
【００７１】
また、感光ドラム１の表面上のレーザ光Ｌの照射位置の調整を結像レンズ103，203の位置を調整して行う場合の一例について説明した。他に、ミラー105，205の角度を調整して感光ドラム１の表面上のレーザ光Ｌの照射位置の調整を行っても良く、これらに限定されるものではない。
【００７２】
上記各実施形態によれば、防塵ガラス５、偏向装置110、結像レンズ103，203、ミラー105，205等の各光学部材を十分剛性の高い筐体107，207に取り付けた後に、結像レンズ103，203の位置調整を行うことができる。
【００７３】
これにより、防塵ガラス５の平行度などの様々な精度誤差を含めて、結像レンズ103，203の位置調整を行うことが出来る。これにより、防塵ガラス５の歪みや取り付け精度誤差、或いは、それらが組み立て作業中に僅かながら変動してしまうことに起因する感光ドラム１の表面上のレーザ光Ｌの照射位置の変動を低減することができる。
【００７４】
これによって、感光ドラム１の表面上のレーザ光Ｌの照射位置を高精度に出来、高精度な画像を得ることが出来る画像形成装置を提供することができる。
【００７５】
また、蓋部材９，11，13，14の取り付けによってレーザ光Ｌの調整した照射位置を変動させることのないように十分注意する。更に、蓋部材９，11，13，14の剛性が極端に小さいシート部材などを用いると、感光ドラム１上におけるレーザ光Ｌの照射位置の変動を防止する効果がより大きくなる。
【符号の説明】
【００７６】
Ｌ，ＬＣ，ＬＭ，ＬＹ，ＬBK  …レーザ光
１，１Ｃ，１Ｍ，１Ｙ，１BK  …感光ドラム（像担持体）
５，５Ｃ，５Ｍ，５Ｙ，５BK  …防塵ガラス（透過部材）
９    …蓋部材
11    …蓋部材
103，103ａ，103ｂ，103ｃ，103ｄ，103ｅ，103ｆ …結像レンズ
105，105ａ，105ｂ，105ｃ，105ｄ，105ｅ，105ｆ …ミラー
107ａ …上方開口部
107ｂ，107ｃ …下方開口部
109，109Ｃ，109Ｍ，109Ｙ，109BK …出射口
110   …偏向装置(偏向走査手段)
【図１】
2013164536.tif 000003
【図２】
2013164536.tif 000004
【図３】
2013164536.tif 000005
【図４】
2013164536.tif 000006
【図５】
2013164536.tif 000007
【図６】
2013164536.tif 000008
【図７】
2013164536.tif 000009
【図８】
2013164536.tif 000010
【図９】
2013164536.tif 000011